(57)【要約】      （修正有）【課題】緊張の緩和、改良された集中力、リラックス補助、および忍耐強さの改善という利点のうちの１つまたは複数を実現するゴルフグローブを提供する。【解決手段】内側表面に１またはそれ以上の隆起要素を具備するゴルフグローブが開示される。隆起要素は、グローブを装着したときにツボに圧力を加えるように配置される。【選択図】図１
2009261926.tif 000002
【特許請求の範囲】
【請求項１】
掌側および甲側を有するゴルフグローブであって、掌側は内側表面および外側表面を有し、上記掌側の上記内側表面は第１の隆起した要素を有するゴルフグローブ。
【請求項２】
上記第１の隆起した要素は、上記グローブを装着したときに第１のツボとほぼ接触する請求項１記載のゴルフグローブ。
【請求項３】
上記掌側の上記内側表面はさらに第２の隆起した要素を有する請求項１記載のゴルフグローブ。
【請求項４】
上記掌側の上記内側表面はさらに第２の隆起した要素を有する請求項２記載のゴルフグローブ。
【請求項５】
上記第２の隆起した要素は、上記グローブを装着したときに第２のツボとほぼ接触する請求項４記載のゴルフグローブ。
【請求項６】
上記掌側の上記内側表面はさらに第３の隆起した要素を有し、上記第３の隆起した要素は、上記グローブを装着したときに第３のツボとほぼ接触する請求項５記載のゴルフグローブ。
【請求項７】
掌側および甲側を有するゴルフグローブであって、甲側は内側表面および外側表面を有し、上記甲側の上記内側表面は第１の隆起した要素を有するゴルフグローブ。
【請求項８】
上記第１の隆起した要素は、上記グローブを装着したときに第１のツボとほぼ接触する請求項７記載のゴルフグローブ。
【請求項９】
上記甲側の上記内側表面はさらに第２の隆起した要素を有する請求項７記載のゴルフグローブ。
【請求項１０】
上記甲側の上記内側表面はさらに第２の隆起した要素を有する請求項８記載のゴルフグローブ。
【請求項１１】
上記第２の隆起した要素は、上記グローブを装着したときに第２のツボとほぼ接触する請求項１０記載のゴルフグローブ。
【請求項１２】
上記掌側の上記内側表面はさらに第３の隆起した要素を有し、上記第３の隆起した要素は、上記グローブを装着したときに第３のツボとほぼ接触する請求項１１記載のゴルフグローブ。
【請求項１３】
内側表面および外側表面を具備する掌側であって、上記掌側の上記内側表面は、グローブ本体を装着したときに第１のツボとほぼ接触する第１の隆起した要素を有する、上記掌側と、
内側表面および外側表面を具備する甲側であって、上記甲側の上記内側表面は、グローブ本体を装着したときに第２のツボとほぼ接触する第２の隆起した要素を有する、上記甲側とを有するゴルフグローブ。
【請求項１４】
上記掌側の上記内側表面は、さらに、グローブ本体を装着したときに第３のツボとほぼ接触する第３の隆起した要素を有する請求項１３記載のゴルフグローブ。
【請求項１５】
上記甲側の上記内側表面は、さらに、グローブ本体を装着したときに第３のツボとほぼ接触する第３の隆起した要素を有する請求項１３記載のゴルフグローブ。
【発明の詳細な説明】
【技術分野】
【０００１】
この発明は一般的にはゴルフグローブに関し、より詳細には、経絡およびツボのマーキングを含むゴルフグローブに関する。
【背景技術】
【０００２】
アパレルに経絡およびツボのマーキングを印刷することが知られている。例えば、Ｗａｒｄの米国特許第７，３０９，２３６号（「Ｗａｒｄ」、特許文献１）は、経絡およびツボまたはツボ領域のうちの少なくとも部分のマーキングを具備するアパレルを開示しており、マーキングは、着用したときに人体上のそれぞれの箇所に対応する。Ｗａｒｄに開示されているアパレルは、経絡および／またはツボが特定された人体の絵図を参照することなしに経絡およびツボまたはツボ領域がどこにあるかを知得していることに依拠する、スキルまたはその実施の指導、練習、または実技を容易にすると説明されている。Ｗａｒｄにおいて特定されているスキルおよび実技は鍼マッサージ、指圧マッサージ、マーシャルアーツ、ダンス、および、鍼灸療法を含む。Ｗａｒｄで開示されているアパレルはボディスーツ、ヘッドカバー、ハンドカバー、および／またはフットカバーであってよく、ハンドカバーは手袋またはミトン、好ましくは指無しまたは半指のもの、またはリストウォーマであってよい。
【０００３】
アパレルを利用するときにツボに圧力が加わるように隆起した領域を具備するアパレルに対する要望が依然としてある。この発明はそのようなアパレルを実現し、また、ゴルフグローブとしてそれを利用するものである。この発明のゴルフグローブは、緊張の緩和、改良された集中力、リラックス補助、および忍耐強さの改善という利点のうちの１つまたは複数を実現する。
【先行技術文献】
【特許文献】
【０００４】
【特許文献１】米国特許第７，３０９，２３６号
【発明の概要】
【０００５】
１実施例において、この発明は、掌側および甲側を有するゴルフグローブであって、掌側は内側表面および外側表面を有し、掌側の内側表面は第１の隆起した要素を有するゴルフグローブに向けられている。第１の隆起した要素は、好ましくは、グローブを装着したときに第１のツボとほぼ接触する。
【０００６】
第２の実施例において、この発明は、掌側および甲側を有するゴルフグローブであって、甲側は内側表面および外側表面を有し、甲側の内側表面は第１の隆起した要素を有するゴルフグローブに向けられている。第１の隆起した要素は、好ましくは、グローブを装着したときに第１のツボとほぼ接触する。
【０００７】
さらに他の実施例において、この発明は、内側表面および外側表面を具備する掌側と、内側表面および外側表面を具備する甲側とを有するゴルフグローブに向けられている。上記掌側の上記内側表面は、グローブ本体を装着したときに第１のツボとほぼ接触する第１の隆起した要素を有する。上記甲側の上記内側表面は、グローブ本体を装着したときに第２のツボとほぼ接触する第２の隆起した要素を有する。
【図面の簡単な説明】
【０００８】
【図１】この発明の１実施例に従うゴルフグローブの掌側の内側表面の平面図である。
【図２】この発明の１実施例に従うゴルフグローブの掌側の内側表面の平面図である。
【図３】この発明の１実施例に従うゴルフグローブの甲側の内側表面の平面図である。
【図４】この発明の１実施例に従うゴルフグローブの甲側の内側表面の平面図である。
【発明を実施するための形態】
【０００９】
経絡は気（すなわち「生命エネルギ」）および、体を通る血流の通り道である。この通り道に沿う点（すなわちツボ）をマッサージすなわち力を加えると、エネルギ、血、栄養素、および神経刺激を対応する器官系／体組織に流すことを促進させる。このような刺激は、神経および経絡の通り道に沿うエネルギの詰まりや滞りを解消し、これによって溜まっている緊張を削減し、痛みの開放を助長すると信じられている。ツボを刺激する治療（例えば、鍼灸、指圧、マッサージ治療、リフレクソロジー）はこのようなコンセプトに則っている。
【００１０】
この発明では、経絡の通り道および／またはツボでマーク付けを付与したグローブを採用することによって、治療特性をゴルフのプレイ中に関与させることができることがわかった。１実施例において、グルーブは隆起した要素を含み、ゴルファがゴルフクラブを握ったときに、圧力がツボに加わるようになっており、これにより、治療特性を関与させる。他の実施例において、ゴルフグローブは、ゴルファが圧力を加えて治療特性を関与させる箇所を説明するツボの１または複数のマーキングを含む。したがって、グローブ上のマーキングはグローブを着用したときの人体の箇所に対応する。人体の経絡の通り道およびツボの位置は良く知られている。
【００１１】
この発明のグローブを使用すると、好ましくは、緊張が緩和し、集中が改善され、リレックスを助長し、また忍耐強くなる。
【００１２】
図面を参照すると、図１〜４は、しばしばゴルファに着用されてクラブのハンドルを確実に握れるようにするタイプのゴルフグローブの一部を説明する。図１および図２はこの発明に従うゴルフグローブ１の掌側の内側表面を示す。通常の手袋と同様に、グローブ１は指部２、本体３、および親指部５を含む。親指部５は本体３の材料片と同一の部分であってよい。代替的には、親指部５は、当業者により知られている通常の手段により、グローブ１に連結される個別片であってよい。図３および図４はゴルフグローブ１３の甲側の内側表面を示す。通常の手袋と同様に、グローブ１３は指部１４、本体１５、および親指部１７を含む。親指部１７は本体１５の材料片と同一の部分であってよい。代替的には、親指部１７は、当業者により知られている通常の手段により、グローブ１３に連結される個別片であってよい。甲側は、オプションとして、手をグローブ１３に挿入するときにグローブ本体１５の下側部分を横方向に開くためのスリット１８を含む。
【００１３】
１実施例において、この発明は、掌側および甲側を有するゴルフグローブであって、掌側は内側表面および外側表面を有し、掌側の内側表面が１つの隆起要素を有するゴルフグローブに向けられている。隆起要素は、グローブを装着したときに、手の掌側の複数のツボのうちの任意の１つとほぼ接触するように配置される。この発明は特定のツボと接触する隆起した要素に限定されないけれども、図１は、グローブを装着したときに隆起要素７がラオゴーン（Ｌａｏｇｏｎｇ）と呼ばれるツボに接触するように隆起要素７をグローブ１の掌側の内側表面に配置した１実施例を示す。ラオゴーンは、拳を握った時に中指の先が接触する、第２および第３中手骨の間の手の掌に位置する。
【００１４】
他の実施例において、この発明は、掌側および甲側を有するゴルフグローブであって、掌側は内側表面および外側表面を有し、掌側の内側表面が少なくとも２つの隆起要素を有するゴルフグローブに向けられている。少なくとも２つの隆起要素の各々は、グローブを装着したときに、手の掌側の複数のツボのうちの任意の１つとほぼ接触するように配置される。この発明は特定のツボと接触する隆起した要素の個数や各要素に限定されないけれども、図２は、グローブを装着したときに隆起要素６、７、８、９、１０、１１、および１２が、コウチュワーンシュエ（Ｋｏｕｃｈｕａｎｇｘｕｅ）、ラオゴーン（Ｌａｏｇｏｎｇ）、ヤートーンシュエ（Ｙａｔｏｎｇｓｕｅ）、シンジーシュエ（Ｘｉｎｊｉｘｕｅ）、ドゥオハンシュエ（Ｄｕｏｈａｎｘｕｅ）、ウェイチャーンシュエ（ｗｅｉｓｈａｎｇｘｕｅ）、およびコウチュワーンシュエ（Ｋｏｕｃｈｕａｎｇｘｕｅ）とそれぞれ呼ばれるツボに接触するように隆起要素６、７、８、９、１０、１１、および１２をグローブ１の掌側の内側表面に配置した１実施例を示す。コウチュワーンシュエは、手の掌側において、中指の中手指関節の横断しわの中央に位置する。上述のとおり、ラオゴーンは、拳を握った時に中指の先が接触する、第２および第３中手骨の間の手の掌に位置する。ヤートーンシュエは、手の掌側において、第２中手骨および第３中手骨の間で、約１ツンだけ、指および掌の横断しわの後方に位置する。シンジーシュエは、手の掌面に横たわる、小指の中手指関節の橈側に位置する。ドゥオハンシュエは手の掌の中央に位置する。ウェイチャーンシュエは、手の掌において、ラオゴーンおよびダーリーン（Ｄａｌｉｎｇ）を結ぶ線の中点に位置する。ダーリーンは、図２では示さないが、手の掌において、長掌筋および橈側手根屈筋の２つの腱の間で、手首の横断しわの中央に位置する。コウチュワーンシュエは手の掌において、人指し指の中手指関節の尺側に位置する。
【００１５】
第２の実施例において、この発明は、掌側および甲側を有するゴルフグローブであって、甲側は内側表面および外側表面を有し、甲側の上記内側表面が１つの隆起要素を有するゴルフグローブに向けられている。隆起要素は、グローブを装着したときに、手の甲側の複数のツボのうちの任意の１つとほぼ接触するように配置される。この発明は特定のツボと接触する隆起した要素に限定されないけれども、図３は、グローブを装着したときに隆起要素１９がズゥオグシェーンジーンシュエ（Ｚｕｏｇｕｓｈｅｎｊｉｎｇｘｕｅ）と呼ばれるツボに接触するように隆起要素１９をグローブ１の甲側の内側表面に配置した１実施例を示す。ズゥオグシェーンジーンシュエは、手の背において、第４および第５の中手指関節の間で、第４中手指関節寄りに位置する。
【００１６】
他の実施例において、この発明は、掌側および甲側を有するゴルフグローブであって、掌側は内側表面および外側表面を有し、甲側の内側表面が少なくとも２つの隆起要素を有するゴルフグローブに向けられている。少なくとも２つの隆起要素の各々は、グローブを装着したときに、手の甲側の複数のツボのうちの任意の１つとほぼ接触するように配置される。この発明は特定のツボと接触する隆起した要素の個数や各要素に限定されないけれども、図４は、グローブを装着したときに隆起要素１９、２７、２９、３０、３３、および３４が、ズゥオグシェーンジーンシュエ、ジーンシャーンシュエ（Ｊｉｎｇｘｉａｎｇｘｕｅ）、ヤンホウシュエ（Ｙａｎｈｏｕｘｕｅ）、フーシエシュエ（Ｆｕｘｉｅｘｕｅ）、ヤオトゥイシュエ（Ｙａｏｔｕｉｘｕｅ）、および、ビトーンシュエ（Ｂｉｔｏｎｇｘｕｅ）とそれぞれ呼ばれるツボに接触するように隆起要素１９、２７、２９、３０、３３、および３４をグローブ１の甲側の内側表面に配置した１実施例を示す。上述のとおり、ズゥオグシェーンジーンシュエは、手の背において、第４および第５の中手指関節の間で、第４中手指関節寄りに位置する。ジーンシャーンシュエは、手の背において、第２および第３の中手指関節の間で、第２中手指関節寄りに位置する。ヤンホウシュエは、手の背において、第３および第４の中手指関節の間で、第３中手指関節寄りに位置する。フーシエシュエは、手の背において、第３および第４の中手指関節の間で、これら関節より１ツン後方に位置する。ヤオトゥイシュエは、手の背において、手首の横断しわの前方１．５ツンに位置し、その１つは、第２指の伸筋の腱の橈側にあり、他の１つは第４指の伸筋の腱の尺側にある。ビトーンシュエは、手の背において、第１および第２の中手骨の基部の間に位置する。
【００１７】
さらに他の実施例において、この発明は、掌側および甲側を有するゴルフグローブであって、掌側および甲側の各々は内側表面および外側表面を有し、掌側の内側表面が少なくとも１つの掌側隆起要素を有し、甲側の内側表面が少なくとも１つの甲側隆起要素を有するゴルフグローブに向けられている。掌側の１または複数の隆起要素の各々は、グローブを装着したときに、手の掌側の複数のツボのうちの任意の１つまたは複数とほぼ接触するように配置される。甲側の１または複数の隆起要素の各々は、グローブを装着したときに、手の甲側の複数のツボのうちの任意の１つまたは複数とほぼ接触するように配置される。
【００１８】
「ゴルフグローブ」はここではゴルフ競技の間に使用されるものとしてとくに販売されるグローブとして定義され、ゴルフの競技中にたまたま装着されるゴルフ用途でないものとして販売されるグローブではない。
【００１９】
つぼに「ほぼ接触」はここでは直接の接触または０．２５０インチ以内の接触として定義される。
【００２０】
「隆起要素」（隆起した要素）は、ここでは、グローブの内側表面から外側に伸びる領域として定義される。隆起要素の最も広い部分は、一般に、０．３０インチ以下、または０．２５インチ以下、または０．１９インチ以下であり、一般に、隆起要素の最も高い点においてグローブの内側表面から外側に０．２５インチ以下、または０．１９インチ以下、または０．１２５インチ以下伸びる。この発明は隆起要素を形成するための特定の材料に限定されない。隆起要素を形成するのに適した組成物は、グローブを使用しているときにツボに圧力を加えるのに十分な程度に固く、不快感をもたらされないように十分に柔らかい組成物を含む。そのような組成物の例は、これに限定されないが、フェルト、天然および合成ゴム、熱可塑性エラストマー、熱可塑性加硫物、およびコルクを含む。また、結晶および石、とくに、癒しの効果があることが知られている以下のような結晶および石も適切である。すなわち、鮑、瑪瑙、ブルーレース、ボツワナ、ファイヤ、モス、曹長石、アレクサンドライト、アマゾナイト、琥珀、アメジスト、アンモナイト、アンゲライト、アパッチティア、燐灰石、魚眼石、アクアオーラ、アクアマリーン、霰石、アベンチュリン、藍銅鉱、重晶石／バリウム、緑柱石、血石、ボジストーン、黄銅、方解石、ライムグリーン、方解石、紅玉髄、猫目石、天青石、白鉛鉱、玉髄、チャロイト、金緑石、空晶石、チャイニーズ・ライティング・ストーン、珪孔雀石、緑玉髄、黄水晶、コバルト、銅、珊瑚、鋼玉石、クリード石、赤銅鉱、ダンブリ石、デザートローズ、ダイアモンド、透輝石／頑火輝石、翠銅鉱、白雲石、エイラト石、エレスチアル、エメラルド、緑簾石、フェアリーズクロス、フリント、螢石、クロム雲母、ジェムシリカ、晶洞石、金、砂金石、花崗岩、鷹目石／ファルコンズアイ、赤鉄鉱、ハーキマーダイアモンド、ヒドンナイト、ハウ石、菫青石、象牙、翡翠輝石、碧玉、ジェット、クンダリニクオーツ、クンザイト、曹灰長石、青金石、曹珪灰石、レピドライト、ロードストーン、孔雀石、マラサイト、大理石、メテオライト、マイクロリン、モチボール、モルダバイト、月長石、モルガナイト／ピンクベリル、マザーオブパール、白雲母（モスクワ石）、軟玉、黒曜石、瑪瑙（オニックス）、オパール、真珠、ペコスダイアモンド、橄欖石、葉長石、石化木、フェナサイト、白金、ブドウ石、黄鉄鉱、水晶、紅水晶、菱マンガン鉱、ばら輝石、流紋岩、紅電気石／レッドトルマリン、ルビー、金紅石／ルチルクオーツ、サファイア、スターサファイア、サード、サードオニックス（瑪瑙）、透明石膏（セレナイト）、蛇紋石、シバリンガム、珪石、銀、菱亜鉛鉱、スモーキークオーツ、方ソーダ石、スペクトロライト、尖晶石、スタールビー、十字石、スティッチタイト、束沸石、スギ石、硫黄、日長石、タンザナイト、テクタイト、虎目石、トパーズ、トルマリン、トルマリンクオーツ、トルコ石、曹灰硼鉱、ユナカイト、バリシア石、ウォーリ／ストレスストーン、黄鉛鉱、ゼブラ石、ジルコン、およびゾイサイトである。この発明の実施例において、グローブが複数の隆起要素を有する場合には、隆起要素の任意の１つが任意の他の隆起要素と同一の組成物から製造されても良いし異なる組成物から製造されても良い。
【００２１】
この発明の事例的な実施例が具体的に説明されたが、この発明の趣旨および範囲を逸脱することなく、種々の他の変形例が当業者に明らかであり、また当業者が容易になすことができることが理解される。したがって、添付の特許請求の範囲のスコープが上述した例や記載に限定されず、むしろ、特許請求の範囲は、この発明中に内在する特許性のある新規な特徴のすべてを包括するように構成されていることが意図されており、これは当業者が均等として扱うすべての特徴を含む。
【符号の説明】
【００２２】
１    ゴルフグローブ
２    指部
３    本体
５    親指部
６〜１２    隆起要素
１３    ゴルフグローブ
１４    指部
１５    本体
１７    親指部
１８    スリット
１９、２７、２９、３０、３３、３４    隆起要素
【図１】
2009261926.tif 000003
【図２】
2009261926.tif 000004
【図３】
2009261926.tif 000005
【図４】
2009261926.tif 000006
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
掌側および甲側を有するゴルフグローブであって、掌側は内側表面および外側表面を有し、上記掌側の上記内側表面は第１の隆起した要素を有するゴルフグローブ。
【請求項２】
上記第１の隆起した要素は、上記グローブを装着したときに第１のツボとほぼ接触する請求項１記載のゴルフグローブ。
【請求項３】
上記掌側の上記内側表面はさらに第２の隆起した要素を有する請求項１記載のゴルフグローブ。
【請求項４】
上記掌側の上記内側表面はさらに第２の隆起した要素を有する請求項２記載のゴルフグローブ。
【請求項５】
上記第２の隆起した要素は、上記グローブを装着したときに第２のツボとほぼ接触する請求項４記載のゴルフグローブ。
【請求項６】
上記掌側の上記内側表面はさらに第３の隆起した要素を有し、上記第３の隆起した要素は、上記グローブを装着したときに第３のツボとほぼ接触する請求項５記載のゴルフグローブ。
【請求項７】
掌側および甲側を有するゴルフグローブであって、甲側は内側表面および外側表面を有し、上記甲側の上記内側表面は第１の隆起した要素を有するゴルフグローブ。
【請求項８】
上記第１の隆起した要素は、上記グローブを装着したときに第１のツボとほぼ接触する請求項７記載のゴルフグローブ。
【請求項９】
上記甲側の上記内側表面はさらに第２の隆起した要素を有する請求項８記載のゴルフグローブ。
【請求項１０】
上記第２の隆起した要素は、上記グローブを装着したときに第２のツボとほぼ接触する請求項９記載のゴルフグローブ。
【請求項１１】
上記掌側の上記内側表面はさらに第３の隆起した要素を有し、上記第３の隆起した要素は、上記グローブを装着したときに第３のツボとほぼ接触する請求項１０記載のゴルフグローブ。
【請求項１２】
内側表面および外側表面を具備する掌側であって、上記掌側の上記内側表面は、グローブ本体を装着したときに第１のツボとほぼ接触する第１の隆起した要素を有する、上記掌側と、
内側表面および外側表面を具備する甲側であって、上記甲側の上記内側表面は、グローブ本体を装着したときに第２のツボとほぼ接触する第２の隆起した要素を有する、上記甲側とを有するゴルフグローブ。
【請求項１３】
上記掌側の上記内側表面は、さらに、グローブ本体を装着したときに第３のツボとほぼ接触する第３の隆起した要素を有する請求項１２記載のゴルフグローブ。
【請求項１４】
上記甲側の上記内側表面は、さらに、グローブ本体を装着したときに第４のツボとほぼ接触する第４の隆起した要素を有する請求項１２記載のゴルフグローブ。
【請求項１５】
上記甲側の上記内側表面は、さらに、グローブ本体を装着したときに第５のツボとほぼ接触する第５の隆起した要素を有する請求項１３記載のゴルフグローブ。
【外国語明細書】
2009261926.tif 000007
2009261926.tif 000008
2009261926.tif 000009
2009261926.tif 000010
2009261926.tif 000011
2009261926.tif 000012
2009261926.tif 000013
Ｃｌａｉｍｓ
2009261926.tif 000014
2009261926.tif 000015
2009261926.tif 000016
１．Ａｂｓｔｒａｃｔ
2009261926.tif 000017
２．Ｒｅｐｒｅｓｅｎｔａｔｉｖｅ  Ｄｒａｗｉｎｇ
Ｆｉｇ．１
2009261926.tif 000018
2009261926.tif 000019
2009261926.tif 000020
2009261926.tif 000021